(57)【要約】【課題】ディスクの挟持を確実に行え、装置の小型化が可能なディスククランプ機構を備えたディスク再生装置【解決手段】クランパ支持板２１に、傾斜部２３及びクランパ安定支持環状部２４を形成し、クランパ安定支持環状部２４の内周に形成される孔部にクランパ４を取り付けることにより、図示しないディスク５が取り外される際に上方鍔部４２が傾斜部２３の中腹にあったとしても、傾斜部２３を上方鍔部４２が滑落することで、クランパ４がクランパ安定支持環状部２４上に載置され、次回ディスク５を挿入及び回転する際に、ディスク５を挟持する際、クランパ４に位置ズレが生じず、確実にクランパ４及びターンテーブル３２によりディスク５の挟持を行うことができる。更に傾斜部２３により、クランパ安定支持環状部２４の強度を向上させることができ、これによりクランパ安定支持環状部２４の薄肉化を行うことができる。【選択図】図４
2007317250.tif 000002
【特許請求の範囲】
【請求項１】
ディスクを載置して回転するターンテーブルと、ディスクをターンテーブルにクランプするクランパと、該クランパを支持するクランパ支持板とを有するディスククランプ機構を備えたディスク装置であって、前記クランパ支持板は射出成形部品から構成された板状部材で形成されており、
該クランパ支持板には前記クランパを受け入れるためのクランパ取付孔が形成され、該クランパ取付孔の周縁部には前記クランパ支持板の厚みよりも薄いクランパ安定支持環状部が形成され、該クランパ安定支持環状部の外縁部分には所定斜度を有した傾斜部が形成されていることを特徴とするディスククランプ機構を備えたディスク再生装置。
【請求項２】
前記クランパ安定支持環状部の最外周の直径は、前記クランパの上方鍔部の外径と略同一の径であることを特徴とする請求項１記載のディスククランプ機構を備えたディスク再生装置。
【発明の詳細な説明】
【技術分野】
【０００１】
本発明は、クランパとターンテーブルによるディスクの挟持を確実に行えるディスク挟持を可能とするディスククランプ機構を備えたディスク再生装置に関する。
【背景技術】
【０００２】
従来、一般に搬送機構によって装置内部に搬入された記録媒体（以下ディスクと呼ぶ）は、図５に示すように、上面の中心に凸部を有するターンテーブルと、略円筒形の上面に鍔部を形成し下面の中心に凹部を有するクランパによってディスクの記録面側とレーベル面側とから挟持され、ターンテーブルと連結しているモータの駆動力によってディスクが回転し、記録面に記録されたデータの読取りや、記録面に対するデータの書き込み等を行っている。このディスクの挟持方法は、クランパは記録再生装置の外観を構成するフレームの上方に設ける支持部に懸架され、ターンテーブルはフレームの内部に組みつけられるトラバースユニットの主要構成部品の一つとしてシャーシに取り付けられる。尚、クランパは支持部により回転自在、且つ、所定の範囲内において上下動自在に取り付けられている。シャーシは一端をフレームと連結し、他端をカム板と連動して上下に摺動可能に連結し、カム板はまた、ディスクトレイの搬送動作とも連動する。
【０００３】
即ち、上記のような構成のディスク挟持構造は、ディスクトレイによりディスクがフレーム内部へと搬送され、ディスクが所定位置に到達する動作と同時にカム板が摺動し、このカム板の摺動と連動してシャーシがフレームとの連結部分を支点として回動し、シャーシに取り付けられたターンテーブルが上昇し、ディスクの中央部に形成される開口部に嵌合し、更にシャーシを上昇させターンテーブルのディスクを挟んだ対向位置にあるクランパとで挟持することとなる。このとき、クランパは支持部に接触せず、回転自在となる。この挟持をより強固に行うため、クランパ及びターンテーブルにはそれぞれに磁石を組み付けたり、一方に磁石を、他方に磁性体を組み付けたりする場合も多い。
【０００４】
しかしながら、上記構造において、図６及び７に示すように、支持部に対してクランパが回転可能にするための間隙によって、クランパの位置が中心部からズレが生じてしまい、クランパの外縁部がターンテーブルの凸部に乗り上げてしまい、ディスクの挟持する際に磁力によってクランパが引き寄せられる際の異音の原因となり、また、クランパの位置にズレが生じたままターンテーブルのキャッチングが行われ、支持部磨耗の加速の原因となっていた。
【０００５】
これを解決するために、特許文献１では、クランパ支持部に４５°の傾斜をつけた構成を開示しており、これによりクランパの位置にズレが生じる場合でも、クランパの鍔部が傾斜により滑落し、クランパを所定の位置に戻すことが可能となる。
【０００６】
【特許文献１】特開２００４−３０８０６号公報
【発明の開示】
【発明が解決しようとする課題】
【０００７】
しかしながら、特許文献１の構成では、クランパ鍔部の外周の１点が、他方より下方若しくは上方にクランパ保持部と当接し、クランパ保持部に対してクランパが水平に保持されない場合があった。
【０００８】
本発明は上記課題を鑑みてなされたものであり、正確にクランパをクランパ保持部に対して中央に保持することで、ディスク再生時にディスクが載置されたターンテーブルとクランパがズレを防止することができるディスククランプ機構を備えたディスク再生装置を提供することを目的とする。
【課題を解決するための手段】
【０００９】
請求項１に係るディスククランプ機構を備えたディスク再生装置は、ディスクを載置して回転するターンテーブルと、ディスクをターンテーブルにクランプするクランパと、該クランパを支持するクランパ支持板とを有するディスククランプ機構を備えたディスク装置であって、前記クランパ支持板は射出成形部品から構成された板状部材で形成されており、
該クランパ支持板には前記クランパを受け入れるためのクランパ取付孔が形成され、該クランパ取付孔の周縁部には前記クランパ支持板の厚みよりも薄いクランパ安定支持環状部が形成され、該クランパ安定支持環状部の外縁部分には所定斜度を有した傾斜部が形成されていることを特徴とする。
【００１０】
請求項１の構成によれば、クランパ安定支持環状部により、クランパを載置する際に水平に保つことが可能であり、該クランパ安定支持環状部の外縁部に傾斜部を形成することにより、クランパは自重により傾斜部を滑落し、確実にクランパ安定支持環状部にクランパを載置することができる。
【００１１】
請求項２に係るディスククランプ機構を備えたディスク再生装置は、請求項１記載のディスククランプ機構を備えたディスク再生装置において、前記クランパ安定支持環状部の最外周の直径は、前記クランパの上方鍔部の外径と略同一の径であることを特徴とする。
【００１２】
請求項２の構成によれば、ターンテーブルが上昇し、ディスクの読み込みのために回転する際は傾斜部とクランパが接触せず、ターンテーブルが下降し、クランパ及びターンテーブルによりディスクを挟持していない状態において、傾斜部最内周とクランパ鍔部に嵌合することができる。
【発明の効果】
【００１３】
請求項１に係るディスククランプ機構を備えたディスク再生装置は、ディスクを載置して回転するターンテーブルと、ディスクをターンテーブルにクランプするクランパと、該クランパを支持するクランパ支持板とを有するディスククランプ機構を備えたディスク装置であって、前記クランパ支持板は射出成形部品から構成された板状部材で形成されており、
該クランパ支持板には前記クランパを受け入れるためのクランパ取付孔が形成され、該クランパ取付孔の周縁部には前記クランパ支持板の厚みよりも薄いクランパ安定支持環状部が形成され、該クランパ安定支持環状部の外縁部分には所定斜度を有した傾斜部が形成されているので、傾斜部を滑落してセンタリングされるクランパをクランパ安定支持環状部により確実に所定位置で保持することができ、ターンテーブル上昇時に伴うターンテーブルとクランパによるディスクの挟持の際、ターンテーブルとクランパのズレを防止することができる。
【００１４】
請求項２に係るディスククランプ機構を備えたディスク再生装置は、請求項１記載のディスククランプ機構を備えたディスク再生装置において、前記クランパ安定支持環状部の最外周の直径は、前記クランパの上方鍔部の外径と略同一の径であるので、クランパがクランパ安定支持環状部の上で傾斜部最内周に嵌合することで、クランパのセンタリングを確実に行うことができ、更に、傾斜部を形成しその内周にクランパ支持板より薄いクランパ安定支持環状部を形成することで、クランパ安定支持環状部の強度を補強することができ、クランパ安定支持環状部を薄くすることが可能となる。
【発明を実施するための最良の形態】
【００１５】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００１６】
図１〜図４は、本発明の一実施例を示し、図１は、クランパとターンテーブルによりディスクを挟持する前の状態のディスク装置を示している断面図である。図２はディスクを挟持した状態のディスク装置を示している断面図である。図３はターンテーブルが上昇する前のクランパ及びクランパ支持板を示す拡大断面図であり、（ａ）はクランパがズレ、傾斜部にクランパ鍔部が当接した状態を示しており、（ｂ）はクランパ安定支持環状部にクランパが載置された状態を示している。図４は、クランパ及びクランパ安定支持環状部、クランパ支持板の寸法と、傾斜部の斜度の関係を説明するための拡大断面図である。
【００１７】
本実施例におけるディスク装置の構成に付いて、図１に基づいて説明する。１は本発明におけるクランパ及びクランパ支持板の構造を採用したディスク装置である。２は、樹脂製フレームであり、２１はクランパ支持板、２２はフレーム脚部、２３は傾斜部、２４はクランパ安定支持環状部であり、２５はクランパ取付孔である。３はトラバースユニットであり、３１はモータ、３２はターンテーブルである。４はクランパであり、４１はターンテーブル３２のキャッチングの確実性を向上させるための磁性体であり、４２はクランパ上面に形成される上方鍔部であり、４３はクランパ下面に形成される下方鍔部である。クランパ４はクランパ取付孔２５に挿通し、樹脂製フレーム２に取り付けられる。５は記憶媒体であるディスクである。図２はクランパ４がターンテーブル３２をキャッチングし、ディスク５を挟持した状態を示している。
【００１８】
次に、ディスクを挟持していない状態におけるクランパ４の状態を、図３に基づいて説明する。ディスクの挟持を終え、クランパ４とターンテーブル３２とが離間した場合クランパ４は位置ズレが起きてしまうことがある。図３（ａ）は、クランパ４に位置ズレが発生した状態を示している。このとき、クランパ４の自重により上方鍔部４２は傾斜部２３を滑落し、図３（ｂ）に示すようにクランパ安定支持環状部２４上に載置され、傾斜部２３最内周により位置決めされる。また、この構造により傾斜部２３最内周は、図５に示す従来からあるディスク装置１００におけるクランパ支持部２０１の位置と比較して、クランパ安定支持環状部２４の径方向の寸法を短くすることができ、クランパ支持板２１に対して薄肉に形成されたクランパ安定支持環状部２４の強度を向上させることができる。
【００１９】
次に、傾斜部２３によりクランパ安定支持環状部２４の強度が増し、薄く形成できる構造について、図４に基づいて説明する。傾斜部２３の高さ（Ｘ軸方向における寸法）Ａは、クランパ支持板２１の厚さ（Ｘ軸方向における寸法）Ｔと実際にクランパ４が当接するクランパ安定支持環状部２４における厚さ（Ｘ軸方向における寸法）ｔとの差であり、式１のように示される
【数１】
2007317250.tif 000003
よって、本実施例において形成する傾斜部２３の厚さＡは上記式１の範囲内において設けることとなる。又、クランパ４上部がかかるクランパ安定支持環状部２４の径方向（Ｙ軸方向）の寸法Ｃは、傾斜部２３の最外周の直径Ｒ１、クランパ安定支持環状部２４の最内周の直径Ｒ２及び傾斜部２３の径方向（Ｙ軸方向）の寸法Ｂを用いて式２のように示される。
【数２】
2007317250.tif 000004
また、傾斜部２３によってクランパ４の位置規制を行う必要があるため、傾斜部２３の再内周の直径ｒ１、クランパ４の円筒部の直径ｒ２、及びクランパ取付孔２５の中心に載置されるクランパ４とクランパ安定支持環状部２４とで形成される間隙Ｓを用いて示される条件である式３を満たす必要がある。
【数３】
2007317250.tif 000005
尚、以降の説明においては、式４の状態であるとして続ける。
【数４】
2007317250.tif 000006
式４の条件により、クランパ安定支持環状部２４の径方向の寸法Ｃはクランパ４上部に設けられた鍔部４１の直径以下の範囲内で設けることとなり、換言すれば、前記クランパ４がクランパ安定支持環状部２４から外れる事がないような寸法Ｃとしなければならない。尚、クランパ４はクランパ安定支持環状部２４に対して上下動及び回転可能に取り付けられる必要があるため、クランパ取付孔２５の中心に載置されるクランパ４とクランパ安定支持環状部２４とで形成される間隙Ｓは、式５及び式６の条件を満たす必要がある。
【数５】
2007317250.tif 000007
【数６】
2007317250.tif 000008
傾斜部２３の径方向の寸法Ｂは、式１から式７のように求められる。
【数７】
2007317250.tif 000009
この式７に式４を代入することにより、傾斜部２３の径方向の寸法Ｂは式８のように求められる。
【数８】
2007317250.tif 000010
尚、クランパ安定支持環状部２４の最内周の直径Ｒ２は以下の式９により示されるのは図４（ａ）より明らかである。
【数９】
2007317250.tif 000011
この式９を式８に代入して、傾斜部２３の径方向の寸法Ｂを求める。
【数１０】
2007317250.tif 000012
そして、傾斜部２３の角度θは、以下に示すような式で求められる。
【数１１】
2007317250.tif 000013
尚、傾斜部２３の径方向の寸法Ｂは、式２及び式３より、
【数１２】
2007317250.tif 000014
の条件を満たせばよく、傾斜部２３の最外周の直径Ｒ１は、樹脂製フレーム２と一体に形成するクランパ支持板２１の前後方向(トレイの搬送)の寸法が、成形する金型の抜きの関係から制限されているため、角度θが小さくなるように傾斜部２３を設ける、即ちクランパ安定支持環状部２４の内周の直径の寸法を短くすることとなり、これによってクランパ４の鍔部４１が当接するクランパ安定支持環状部２４の厚さｔを小さくすることが可能となる。又、クランパ４の鍔部４１下面からクランパ４の鍔部４３上面までの寸法Ｈは、稼動範囲を定数Ｋとした場合、
【数１２】
2007317250.tif 000015
となり、鍔部４１が当接するクランパ安定支持環状部２４の厚さｔを小さくすることでＨを小さくすることが出来、ディスク装置全体の薄型化が可能となる。
【００２０】
以上のような、ディスク装置１の構成によれば、傾斜部２３によりクランパ安定支持環状部２４の強度を向上させると共に、クランパ４の位置ズレを補正することを可能とし、更に、傾斜部２３の角度を小さくすることで、クランパ安定支持環状部２４の強度を保ちつつ厚さを薄くすることが可能であり、ディスク装置の小型化に寄与する。
【図面の簡単な説明】
【００２１】
【図１】本発明の実施例における、ディスク装置を示す断面図である。
【図２】同上、ディスク装置によりディスクを挟持した状態を示す断面図である。
【図３】同上、クランパが傾斜部を滑落する状態を示しており、（ａ）は滑落前、（ｂ）は滑落後を示す部分拡大断面図である。
【図４】同上、クランパ支持板、傾斜部、クランパ安定支持環状部、及びクランパの寸法を示す部分拡大断面図である。
【図５】従来のディスク装置における、ディスクを挟持する前を示すディスク装置の断面図である。
【図６】同上、ディスク挟持の際に、ターンテーブルに対してクランパの位置にズレが生じた状態を示すディスク装置の断面図である。
【図７】同上、クランパとターンテーブルによりディスクを挟持した状態を示すディスク装置の断面図である。
【符号の説明】
【００２２】
１    ディスク装置
２    樹脂製フレーム
２１  クランパ支持板
２３  傾斜部
２４  クランパ安定支持環状部
２５  クランパ取付孔
３２  ターンテーブル
４    クランパ
４２、４３  鍔部
５    ディスク
Ｔ    クランパ支持板の厚さ
ｔ    クランパ安定支持環状部における厚さ
Ｓ    クランパとクランパ安定支持環状部との間隙の長さ
Ａ    傾斜部の高さ
Ｂ    傾斜部の径方向の長さ
Ｃ    クランパ安定支持環状部の径方向の長さ
θ    傾斜部の斜度
Ｒ１  傾斜部最外周の半径
Ｒ２  クランパ安定支持環状部が有する孔部の半径
ｒ１  傾斜部最内周の半径
ｒ２  クランパの円筒部における半径
ｒ３  クランパ下方の鍔部の半径
Ｈ    クランパの上方鍔部の下面からクランパ下方鍔部の上面までの寸法
【図１】
2007317250.tif 000016
【図２】
2007317250.tif 000017
【図３】
2007317250.tif 000018
【図４】
2007317250.tif 000019
【図５】
2007317250.tif 000020
【図６】
2007317250.tif 000021
【図７】
2007317250.tif 000022